(57)【要約】【課題】室内ユニットと室外ユニットの接続異常を、機器を試運転しないと判定できないという課題を有していた。【解決手段】、室内ユニット１と室外ユニット３を据付け工事５の完了後、機器の電源投入時に通信手段６で互いの冷媒仕様または能力ランクまたは機種形態を認識し、室外ユニット３が接続可能判定することにより、空気調和機の運転を開始する前に接続異常判定することができ、冷媒違いによる機器の損傷及び性能不足、能力ランク違いによる機器の寿命短縮及び性能不足、機種形態の違いによる冷凍サイクルの不成立を防止することができる。【選択図】図１
2006078043.tif 000002
【特許請求の範囲】
【請求項１】
1台の室内ユニットと1台の室外ユニットを冷媒配管と通信線で接続することにより冷暖房を行う空気調和機において、前記室内ユニットと前記室外ユニットとを接続する前記通信線により通信する通信手段と、前記室内ユニットに自己機器の冷媒仕様と能力ランクと機種形態を工場出荷前に格納する記憶装置と、前記室外ユニットに自己機器の冷媒仕様と能力ランクと接続可能室内機種形態を工場出荷前に記憶する装置と前記通信手段により接続した室内ユニットの冷媒仕様と能力ランクと機種形態を認識し冷媒仕様判定を行う冷媒判定手段と能力ランク判定を行う能力ランク判定手段と機種形態判定を行う機種形態判定手段とより接続可能判定する接続可能判定検知手段とから構成され、機器の電源投入時に前記接続可能判定検知手段により室内ユニットと室外ユニットの接続異常を判定する機能を有する空気調和機。
【請求項２】
2台同時運転する室内ユニットと1台の室外ユニットを冷媒配管と通信線で接続することにより冷暖房を行う空気調和機において、前記2台の室内ユニットと前記室外ユニットとを接続する前記通信線により通信する通信手段と、前記2台の室内ユニットに個々自己機器の冷媒仕様と能力ランクと機種形態を工場出荷前に格納する記憶装置と、前記室外ユニットに自己機器の冷媒仕様と能力ランクと接続可能室内機種形態を工場出荷前に記憶する装置と前記通信手段により接続した２台の室内ユニットの個々冷媒仕様と能力ランクと機種形態を認識し冷媒仕様判定を行う冷媒判定手段と能力ランク判定を行う能力ランク判定手段と機種形態判定を行う機種形態判定手段とより接続可能判定する接続可能判定検知手段とから構成され、機器の電源投入時に前記接続可能判定検知手段により室内ユニットと室外ユニットの接続異常を判定する機能を有する空気調和機。
【請求項３】
複数台個別運転運転する室内ユニットと1台の室外ユニットを冷媒配管と通信線で接続することにより冷暖房を行う空気調和機において、前記複数台の室内ユニットと前記室外ユニットとを接続する前記通信線により通信する通信手段と、前記複数台の室内ユニットに個々自己機器の冷媒仕様と能力ランクと機種形態を工場出荷前に格納する記憶装置と、前記室外ユニットに自己機器の冷媒仕様と能力ランクと接続可能室内機種形態を工場出荷前に記憶する装置と前記通信手段により接続した複数台の室内ユニットの個々冷媒仕様と能力ランクと機種形態を認識し冷媒仕様判定を行う冷媒判定手段と能力ランク判定を行う能力ランク判定手段と機種形態判定を行う機種形態判定手段とより接続可能判定する接続可能判定検知手段とから構成され、機器の電源投入時に前記接続可能判定検知手段により室内ユニットと室外ユニットの接続異常を判定する機能を有する空気調和機。
【発明の詳細な説明】
【技術分野】
【０００１】
本発明は、室内ユニットと室外ユニットを冷媒配管と通信線で接続することにより冷暖房を行う空気調和機に関するものである。
【背景技術】
【０００２】
従来、この種の空気調和機は、室外ユニットに接続した室内ユニットの、接続台数及び接続容量を検出し接続異常の有無を判定するといったのもがあった（例えば、特許文献１参照）。
【０００３】
図４フローチャートは特許文献１に記載された従来の空気調和機の接続異常制御を示すものである。図４フローチャートに示すように、室内ユニット台数設定確認手段１０１と、室内ユニット容量設定確認手段１０２と、試運転モード確認手段１０３と、室内ユニット台数判定手段１０４と、室内ユニット容量判定手段１０５と、室内ユニット接続判定手段１０６とから構成されており、機器の据付時に作業員が室外ユニットに接続すべき、室内ユニット台数、室内ユニット容量を集中リモコンにより設定し、室内ユニット及び室外ユニットを電源投入して試運転した時に、室内ユニット台数設定確認手段１０１で室内ユニット台数設定の有無を確認し、室内ユニット容量設定確認手段１０２で室内ユニット容量設定の有無を確認する。試運転モード確認手段１０３で運転モードが試運転であることを確認した後、室内ユニット台数判定手段１０４と、室内ユニット容量判定手段１０５とで設定した室内ユニット台数及び容量とを判定し、室内ユニット接続判定手段１０６で異常判定を行い接続室内ユニットの接続異常の有無を判定している。
【特許文献１】特開平７−１３９７８４号公報
【発明の開示】
【発明が解決しようとする課題】
【０００４】
しかしながら、前記従来の構成では、室外ユニットに接続可能な台数及び容量を作業員が据付現場で設定する必要があり、また、室内ユニットと室外ユニットとで冷媒仕様が異なって設置した場合及び機器形態が異なって設置した場合の接続異常が検出できず、また、試運転を開始しないと接続異常の検知が出来ないという課題を有していた。
【０００５】
本発明は、前記従来の課題を解決するもので、工場出荷前に室内ユニットと室外ユニット個々に自己機器の冷媒仕様と能力ランクと機種形態を記憶し、据付完了時室内ユニットと室外ユニットの電源を投入した際に、通信手段で互いの冷媒仕様と能力ランクと機種形態を認識し接続異常判定するという機能を有する空気調和機を提供することを目的とする。
【課題を解決するための手段】
【０００６】
前記従来の課題を解決するために、本発明の空気調和機は、室内ユニットと室外ユニットとを接続する通信線により通信する通信手段と、室内ユニットに自己機器の冷媒仕様と能力ランクと機種形態を工場出荷前に格納する記憶装置と、室外ユニットに自己機器の冷媒仕様と能力ランクと接続可能室内機種形態を工場出荷前に記憶する装置と通信手段により接続した室内ユニットの冷媒仕様と能力ランクと機種形態を認識し冷媒仕様判定を行う冷媒判定手段と能力ランク判定を行う能力ランク判定手段と機種形態判定を行う機種形態判定手段とより接続可能判定する接続可能判定検知手段とから構成されるものである。
【０００７】
これによって、室内ユニットと室外ユニットの機器の電源投入時に通信手段で互いの冷媒仕様または能力ランクまたは機種形態を認識し、空気調和機の運転を開始する前に接続
異常判定をすることができる。
【０００８】
また、本発明の空気調和機は、室内ユニットが複数接続された場合にも、複数の室内ユニットと室外ユニットとを接続する通信線により通信する通信手段と、複数の室内ユニットに個々自己機器の冷媒仕様と能力ランクと機種形態を工場出荷前に格納する記憶装置と、室外ユニットに自己機器の冷媒仕様と能力ランクと接続可能室内機種形態を工場出荷前に記憶する装置と通信手段により接続した室内ユニットの冷媒仕様と能力ランクと機種形態を認識し冷媒仕様判定を行う冷媒判定手段と能力ランク判定を行う能力ランク判定手段と機種形態判定を行う機種形態判定手段とより接続可能判定する接続可能判定検知手段とから構成されるものである。
【０００９】
これによって、室内ユニットと室外ユニットの機器の電源投入時に通信手段で互いの冷媒仕様または能力ランクまたは機種形態を認識し、空気調和機の運転を開始する前に接続異常判定をすることができる。
【発明の効果】
【００１０】
本発明の空気調和機は、室内ユニットと室外ユニットの機器の電源投入時に通信手段で互いの冷媒仕様または能力ランクまたは機種形態を認識し、空気調和機の運転を開始する前に接続異常判定をすることができる。
【発明を実施するための最良の形態】
【００１１】
第１の発明は、1台の室内ユニットと1台の室外ユニットを冷媒配管と通信線で接続することにより冷暖房を行う空気調和機において、室内ユニットと室外ユニットとを接続する通信線により通信する通信手段と、室内ユニットに自己機器の冷媒仕様と能力ランクと機種形態を工場出荷前に格納する記憶装置と、室外ユニットに自己機器の冷媒仕様と能力ランクと接続可能室内機種形態を工場出荷前に記憶する装置と通信手段により接続した室内ユニットの冷媒仕様と能力ランクと機種形態を認識し冷媒仕様判定を行う冷媒判定手段と能力ランク判定を行う能力ランク判定手段と機種形態判定を行う機種形態判定手段とより接続可能判定する接続可能判定検知手段とから構成することにより、室内ユニットと室外ユニットの機器の電源投入時に通信手段で互いの冷媒仕様または能力ランクまたは機種形態を認識し、空気調和機の運転を開始する前に接続異常判定をすることができる。
【００１２】
第２の発明は、2台同時運転する室内ユニットと1台の室外ユニットを冷媒配管と通信線で接続することにより冷暖房を行う空気調和機において、2台の室内ユニットと室外ユニットとを接続する通信線により通信する通信手段と、2台の室内ユニットに個々自己機器の冷媒仕様と能力ランクと機種形態を工場出荷前に格納する記憶装置と、室外ユニットに自己機器の冷媒仕様と能力ランクと接続可能室内機種形態を工場出荷前に記憶する装置と通信手段により接続した２台の室内ユニットの個々冷媒仕様と能力ランクと機種形態を認識し冷媒仕様判定を行う冷媒判定手段と能力ランク判定を行う能力ランク判定手段と機種形態判定を行う機種形態判定手段とより接続可能判定する接続可能判定検知手段とから構成することにより、２台の室内ユニットと室外ユニットの機器の電源投入時に通信手段で互いの冷媒仕様または能力ランクまたは機種形態を認識し、空気調和機の運転を開始する前に接続異常判定をすることができる。
【００１３】
第３の発明は、複数台個別運転運転する室内ユニットと1台の室外ユニットを冷媒配管と通信線で接続することにより冷暖房を行う空気調和機において、複数台の室内ユニットと室外ユニットとを接続する通信線により通信する通信手段と、複数台の室内ユニットに個々自己機器の冷媒仕様と能力ランクと機種形態を工場出荷前に格納する記憶装置と、室外ユニットに自己機器の冷媒仕様と能力ランクと接続可能室内機種形態を工場出荷前に記憶する装置と通信手段により接続した複数台の室内ユニットの個々冷媒仕様と能力ランク
と機種形態を認識し冷媒仕様判定を行う冷媒判定手段と能力ランク判定を行う能力ランク判定手段と機種形態判定を行う機種形態判定手段とより接続可能判定する接続可能判定検知手段とから構成することにより、複数台の室内ユニットと室外ユニットの機器の電源投入時に通信手段で互いの冷媒仕様または能力ランクまたは機種形態を認識し、空気調和機の運転を開始する前に接続異常判定をすることができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における空気調和機のフローチャートを示した図である。
【００１６】
図1において、室内ユニット１は、自己機器の冷媒仕様と能力ランクと機種形態を工場出荷前に格納する記憶装置２を有し、室外ユニット３は、自己機器の冷媒仕様と能力ランクと接続可能室内機種形態を工場出荷前に記憶する装置４、室内ユニット１と室外ユニット３を設置現場で冷媒配管接続及び通信線接続を行う据付工事５の完了後電源投入により成立する通信手段6により冷媒仕様判定を行う冷媒仕様判定手段７、能力ランク判定を行う能力ランク判定手段８、機種形態判定を行う機種形態判定手段9、接続可能判定検知手段10より構成されている。
【００１７】
図１より空気調和機の動作、作用について説明する。
【００１８】
室内ユニット１は、工場出荷前に記憶装置２に室内ユニット１の冷媒仕様と能力ランクと機種形態を工場出荷前に格納する。また、室外ユニット３は、工場出荷前に記憶装置４に室外ユニット３の冷媒仕様と能力ランクと機種形態を工場出荷前に格納する。室内ユニット1と室外ユニット３は工場から出荷され、設置現場で冷媒配管接続及び通信線接続などの据付工事５が行われ室内ユニット１と室外ユニット３の電源投入をすることにより通信手段６が成立する。この通信手段６により室外ユニット３は、据付工事５により接続された室内ユニット1の冷媒仕様、能力ランク、機種形態を認識し、冷媒仕様判定手段７で室内ユニット1の冷媒仕様が室外ユニット３の冷媒仕様と同一か判断し、能力ランク判定手段８で室内ユニット1の能力ランクが室外ユニット３の能力ランクと同一か判断し、機種形態判定手段９で室内ユニット1の機種形態が室外ユニット３に接続可能な機種形態かを判断し、接続可能判定検知手段１０で室外ユニット３は室内ユニット１を接続可能かを決定する。
【００１９】
上記のことより、室内ユニット１と室外ユニット３を据付け工事５の完了後、機器の電源投入時に通信手段６で互いの冷媒仕様または能力ランクまたは機種形態を認識し、室外ユニット３が接続可能判定することにより、空気調和機の運転を開始する前に接続異常判定することができ、冷媒違いによる機器の損傷及び性能不足、能力ランク違いによる機器の寿命短縮及び性能不足、機種形態の違いによる冷凍サイクルの不成立を防止することができる。
【００２０】
（実施の形態２）
図２は、本発明の第２の実施の形態における空気調和機の風向制御のフローチャートを示した図である。
【００２１】
図２において、図１と同じ構成要素については同じ符号を用い、説明を省略する。
【００２２】
２台同時運転する、室内ユニットＡ１１、室内ユニットＢ１３は、個々自己機器の冷媒
仕様と能力ランクと機種形態を工場出荷前に格納する室内ユニットＡ1１の記憶装置１２、室内ユニットＢ１３の記憶装置１４から構成されている。
【００２３】
以上のように構成された空気調和機について、図２より以下その動作、作用を説明する。
【００２４】
２台同時運転する、室内ユニットＡ１１は、工場出荷前に記憶装置１２に室内ユニットＡ１１の冷媒仕様と能力ランクと機種形態を、室内ユニットＢ１３は、工場出荷前に記憶装置１４に室内ユニットＢ１３の冷媒仕様と能力ランクと機種形態を工場出荷前に格納する。また、室外ユニット３は、工場出荷前に記憶装置４に室外ユニット３の冷媒仕様と能力ランクと機種形態を工場出荷前に格納する。室内ユニットＡ１1及び室内ユニットＢ１３と室外ユニット３は工場から出荷され、設置現場で冷媒配管接続及び通信線接続などの据付工事５が行われ室内ユニットＡ１１及び室内ユニットＢ１３と室外ユニット３の電源投入をすることにより通信手段６が成立する。この通信手段６により室外ユニット３は、据付工事５により接続された室内ユニットＡ１1及び室内ユニットＢ１３の個々冷媒仕様、個々及び合計能力ランク、個々機種形態を認識し、冷媒仕様判定手段７で室内ユニットＡ１１及び室内ユニットＢ１３の冷媒仕様が室外ユニット３の冷媒仕様と同一か判断し、能力ランク判定手段８で室内ユニットＡ１1及び室内ユニットＢ１３の個々及び合計能力ランクが室外ユニット３の能力ランクに対して接続可能か判断し、機種形態判定手段９で室内ユニットＡ１1及び室内ユニットＢ１３の機種形態が室外ユニット３に接続可能な機種形態かを判断し、接続可能判定検知手段１０で室外ユニット３は室内ユニットＡ１１及び室内ユニットＢ１３が接続可能かを決定する。
【００２５】
上記のことより、２台同時運転する室内ユニットＡ１１及び室内ユニットＢ１３と室外ユニット３を据付け工事５の完了後、機器の電源投入時に通信手段６で互いの冷媒仕様または能力ランクまたは機種形態を認識し、室外ユニットが接続可能判定することにより、空気調和機の運転を開始する前に接続異常判定することができ、冷媒違いによる機器の損傷及び性能不足、室内ユニットの個々能力ランクの異常な不均一から発生する能力不足、合計能力ランク違いによる機器の寿命短縮及び性能不足、機種形態の違いによる冷凍サイクルの不成立を防止することができる。
【００２６】
（実施の形態３）
図３は、本発明の第３の実施の形態における空気調和機の風向制御のフローチャートを示した図である。
【００２７】
図３において、図１と同じ構成要素については同じ符号を用い、説明を省略する。
【００２８】
複数台個別運転する、室内ユニットｎ２１は、自己機器の冷媒仕様と能力ランクと機種形態を工場出荷前に格納する室内ユニットｎ２１の記憶装置２２から構成されている。
【００２９】
以上のように構成された空気調和機について、図３より以下その動作、作用を説明する。
【００３０】
複数台個別運転する、室内ユニットｎ２１は、工場出荷前に記憶装置２２に室内ユニットｎ２１の冷媒仕様と能力ランクと機種形態を工場出荷前に格納する。また、室外ユニット３は、工場出荷前に記憶装置４に室外ユニット３の冷媒仕様と能力ランクと機種形態を工場出荷前に格納する。室内ユニットｎ２１と室外ユニット３は工場から出荷され、設置現場で冷媒配管接続及び通信線接続などの据付工事５が行われ室内ユニットｎ２１と室外ユニット３の電源投入をすることにより通信手段６が成立する。この通信手段６により室外ユニット３は、据付工事５により接続された室内ユニットｎ２１の個々冷媒仕様、個々
及び合計能力ランク、個々機種形態を認識し、冷媒仕様判定手段７で室内ユニットｎ２１の冷媒仕様が室外ユニット３の冷媒仕様と同一か判断し、能力ランク判定手段８で室内ユニットｎ２１の個々及び合計能力ランクが室外ユニット３の能力ランクに対して接続可能か判断し、機種形態判定手段９で室内ユニットｎ２１の機種形態が室外ユニット３に接続可能な機種形態かを判断し、接続可能判定検知手段１０で室外ユニット３は室内ユニットｎ２１が接続可能かを決定する。
【００３１】
上記のことより、複数台個別運転する複数の室内ユニットｎ２１と室外ユニット３を据付け工事５の完了後、機器の電源投入時に通信手段６で互いの冷媒仕様または能力ランクまたは機種形態を認識し、室外ユニット３が接続可能判定することにより、空気調和機の運転を開始する前に接続異常判定することができ、冷媒違いによる機器の損傷及び性能不足、室内ユニットの個々能力ランクの異常な不均一から発生する能力不足、合計能力ランク違いによる機器の寿命短縮及び性能不足、機種形態の違いによる冷凍サイクルの不成立を防止することができる。
【産業上の利用可能性】
【００３２】
以上のように、本発明にかかる空気調和機は、室内ユニットと室外ユニットの機器の電源投入時に通信手段で互いの冷媒仕様または能力ランクまたは機種形態を認識し、空気調和機の運転を開始する前に接続異常判定をすることができるので、冷暖機種、冷房専用機種の判定等の用途にも適用できる。
【図面の簡単な説明】
【００３３】
【図１】本発明の実施の形態１における空気調和機のフローチャート
【図２】本発明の実施の形態２における空気調和機のフローチャート
【図３】本発明の実施の形態３における空気調和機のフローチャート
【図４】従来の空気調和機のフローチャート
【符号の説明】
【００３４】
１  室内ユニット
２  記憶装置（室内ユニット）
３  室外ユニット
４  記憶装置（室外ユニット）
５  据付工事
６  通信手段
７  冷媒仕様判定手段
８  能力ランク判定手段
９  機種形態判定手段
１０  接続可能判定検知
１１  室内ユニットＡ
１２  記憶装置（室内ユニットＡ）
１３  室内ユニットＢ
１４  記憶装置（室内ユニットＢ）
２１  室内ユニットｎ
２２  記憶装置（室内ユニットｎ）
【図２】
2006078043.tif 000003
【図３】
2006078043.tif 000004
【図４】
2006078043.tif 000005
【図１】
2006078043.tif 000006